(57)【要約】【課題】本発明は、リビングではもちろんのこと、屋外でも、土を使わず水と液肥だけで野菜を育てることができる水気耕栽培装置を提供する。【解決手段】本発明の水気耕栽培装置は、上方に苗用ポットを挿入支持する挿入筒を有し下方の左右に養液水の通路となる左右筒を備えた逆Ｔ字管を設け、該逆Ｔ字管を左右に相互に連結して養液水の流通する往路連結管及び復路連結管を構成し、前記往路連結管の最上流側に気泡発生ポンプ室を設けたので、往路連結管及び復路連結管内を流動する養液水により常に新鮮な水耕栽培ができ、かつ前記気泡発生ポンプ室で温度調節および酸素供給できる。【選択図】図１
2010154822.tif 000002
【特許請求の範囲】
【請求項１】
上方に苗用ポットを挿入支持する挿入筒を有し下方の左右に養液水の通路となる左右筒を備えた逆Ｔ字管を設け、該逆Ｔ字管を左右に相互に連結して養液水の流通する連結管を構成し、前記連結管を多列に形成し、一方を往路連結管とし他方を復路連結管とし、前記往路連結管の最上流側には気泡発生ポンプ室が接続され、最下流端側には垂直管が接続されると共に、前記復路連結管の最上流端側及び最下流側にそれぞれ垂直管が接続され、前記気泡発生ポンプ室と前記復路連結管の最下流側の垂直管は前記往路連結管及び前記復路連結管より低い位置で循環接続管により連結し、前記往路連結管の最下流側の垂直管と前記復路連結管の最上流側の垂直管は前記往路連結管及び前記復路連結管より低い位置で循環接続管により連結することにより、前記往路連結管及び前記復路連結管の端部同志を接続して循環流路を形成したことを特徴とする水気耕栽培装置。
【請求項２】
前記気泡発生ポンプ室には養液水が一時的に貯留される循環水槽を備えており、該循環水槽の中には水中ポンプ、電熱ヒーター、エアーストーンが内蔵されていることを特徴とする請求項１記載の水気耕栽培装置。
【請求項３】
前記気泡発生ポンプ室と往路連結管とを遮断する仕切り板が設けられ、該仕切り板を貫通して水中ポンプの排出口は往路連結管へ突出設置されることを特徴とする請求項１記載の水気耕栽培装置。
【発明の詳細な説明】
【技術分野】
【０００１】
本発明は、リビングではもちろんのこと、屋外でも、土を使わず水と液肥だけで野菜を育てることができる水気耕栽培装置に関する。
【背景技術】
【０００２】
従来、室内のベランダなどで栽培ができる家庭用水耕栽培装置が知られている（特許文献１を参照）。
この公知技術では、木製枠に栽培用養液水を入れる水槽を入れて上部の止金具にスチロール板を置き、該スチロール板に作物を栽培する苗を入れた栽培用器を嵌めて、養液水を苗の根元の位置まで入れて交換ポンプを使って配管パイプより空気と養液水を作物に送り込んで栽培する家庭用水耕栽培装置である。
【０００３】
また、果実や野菜の施設園芸や都市緑化に好適な植物の栽培方法及び栽培装置が知られている（特許文献２を参照）。
この公知技術では、土耕栽培で育成した土付き植物の根部を水面より上方に設置された栽培ポット内に収容し、散気装置による気泡が水面で弾ける際飛散する飛沫により土付き植物に給水しつつ育成し、新たに伸びてきた根を水面に向け伸張、到達させて水耕栽培に移行する植物の栽培方法及び栽培装置である。
【０００４】
さらに、ビルの屋上やマンションのベランダ等の限られた空間において、初心者でも問題なく、野菜、花等を栽培することができる水耕栽培装置が知られている（特許文献３を参照）。
この公知技術では、小さいプラスチック容器を栽培容器とし、苗を植え込むポットを装着する穴を有する蓋を栽培容器に被せ、養液供給パイプによって栽培容器に養液を供給し、前記蓋の穴にポットを挿入してポットの葉が茂り始めた頃合いをみて、前記蓋に設けた覗き穴から栽培容器の内部を覗き、養液排水パイプのバルブを開閉し、養液のレベルを下げ、根の上部を空気に曝し、根腐れを防止する水耕栽培装置である。
【特許文献１】実用新案登録第３１０３２４１号公報
【特許文献２】特開平１０−３１３７１６号公報
【特許文献３】登録実用新案第３０２３３５４号公報
【発明の開示】
【発明が解決しようとする課題】
【０００５】
本発明は、リビングではもちろんのこと、屋外でも、土を使わず水と液肥だけで野菜を育てることができる水気耕栽培装置を提供することを目的とする。
【課題を解決するための手段】
【０００６】
本発明の水気耕栽培装置は、上方に苗用ポットを挿入支持する挿入筒を有し下方の左右に養液水の通路となる左右筒を備えた逆Ｔ字管を設け、該逆Ｔ字管を左右に相互に連結して養液水の流通する連結管を構成し、前記連結管を多列に形成し、一方を往路連結管とし他方を復路連結管とし、前記往路連結管の最上流側には気泡発生ポンプ室が接続され、最下流端側には垂直管が接続されると共に、前記復路連結管の最上流端側及び最下流側にそれぞれ垂直管が接続され、前記気泡発生ポンプ室と前記復路連結管の最下流側の垂直管は前記往路連結管及び前記復路連結管より低い位置で循環接続管により連結し、前記往路連結管の最下流側の垂直管と前記復路連結管の最上流側の垂直管は前記往路連結管及び前記復路連結管より低い位置で循環接続管により連結することにより、前記往路連結管及び前記復路連結管の端部同志を接続して循環流路を形成したものである。
前記気泡発生ポンプ室には養液水が一時的に貯留される循環水槽を備えており、該循環水槽の中には水中ポンプ、電熱ヒーター、エアーストーンが内蔵されているものである。
前記気泡発生ポンプ室と往路連結管とを遮断する仕切り板が設けられ、該仕切り板を貫通して水中ポンプの排出口は往路連結管へ突出設置されるものである。
【発明の効果】
【０００７】
本発明の水気耕栽培装置は、上方に苗用ポットを挿入支持する挿入筒を有し下方の左右に養液水の通路となる左右筒を備えた逆Ｔ字管を設け、該逆Ｔ字管を左右に相互に連結して養液水の流通する往路連結管及び復路連結管を構成したので、コンパクトに往路連結管及び復路連結管内を流動する養液水により常に新鮮な水耕栽培ができ、かつ前記往路連結管の最上流側に気泡発生ポンプ室を設け、該気泡発生ポンプ室で温度調節および酸素供給できるため、リビングではもちろんのこと、屋外でも、土を使わず水と液肥だけで野菜を育てることができる効果がある。
【発明を実施するための最良の形態】
【０００８】
本発明の水気耕栽培装置の一実施例を添付図面に基づいて、以下に説明する。
本発明の水気耕栽培装置の全体を、図１の正面図、図２の平面図、図３の右側面図、図４の左側面図に示す。
図１に示すように、上方に苗用ポットを挿入支持する挿入筒１を有し、下方の左右に養液水（水に液肥を混ぜたもの）の通路となる左右筒２を備えた逆Ｔ字管３を設け、該逆Ｔ字管３を左右に相互に連結して養液水の流通する連結管を構成する。
本実施例では、図２に示すように前記連結管を２列に形成し、一方を往路連結管４とし、他方を復路連結管５とし、前記連結管の両方の端部同志を接続してロ字状の循環流路を形成する。
図３に示すように、前記往路連結管４の上流端には気泡発生ポンプ室６が接続され、該気泡発生ポンプ室６から強制的に養液水が前記往路連結管４へ送り出されて循環するようになっている。
【０００９】
図５に示すように、前記気泡発生ポンプ室６には養液水が一時的に貯留される循環水槽７を備えており、該循環水槽７の中には水中ポンプ８、電熱ヒーター９、エアーストーン１０が内蔵されている。
前記復路連結管５から戻ってきた養液水は前記循環水槽７に溜まり、ここで電熱ヒーター９により温度調節されると共にエアーストーン１０から発生する気泡により養液水に酸素が補給される。
前記往路連結管４と気泡発生ポンプ室６とを遮断する仕切り板１１が設けられ、該仕切り板１１を貫通して水中ポンプ８の排出口１２は往路連結管４へ突出設置される。
酸素補給と温度調節された養液水は前述したように水中ポンプ８により強制的に往路連結管４へ供給される。
【００１０】
図２に示すように前記往路連結管４の最上流側には前記気泡発生ポンプ室６が接続され、図４に示すように最下流端側には垂直管１３が接続され、さらに前記復路連結管５の最上流端側及び最下流側にそれぞれ垂直管１３が接続される。
前記往路連結管４の最下流側の垂直管１３と前記復路連結管５の最上流側の垂直管１３は前記往路連結管４及び前記復路連結管５より低い位置で循環接続管１４により連結されるし、前記復路連結管５の最下流側の垂直管１３と前記気泡発生ポンプ室６は前記往路連結管４及び前記復路連結管５より低い位置で循環接続管１４により連結される。
なお、前記各垂直管１３の反対側に接続された排水管１５は、常時は管端部を蓋１６により塞がれており、メンテナンス等で液抜きをする際に蓋１６を外して養液水を排出する。
【００１１】
次に、本発明の水気耕栽培装置の操作動作を添付図面に基づいて、以下に説明する。
本発明の水気耕栽培装置は、金属フレーム等により矩形に形成され、全体外壁を透明プレートで覆われ、上方の蓋が開閉できる透明ケース内に収納される。
気泡発生ポンプ室６内にはそれぞれ水中ポンプ８、電熱ヒーター９、エアーストーン１０が収納されており、水中ポンプ８および電熱ヒーター９は図示しない電気コードによりＡＣ電源へ接続され、エアーストーン１０は図示しないチューブにより気泡発生ポンプ１７へ接続される。
前記気泡発生ポンプ室６の循環水槽７の養液水は、往路連結管４のほぼ上端付近までに水位調節され、電熱ヒーター９により一定温度に保たれると共にエアーストーン１０からの気泡により酸素が供給される。
【００１２】
前記水中ポンプ８を作動すると、循環水槽７の養液水は水中ポンプ８の排出口１２から往路連結管４へ給送され、往路連結管４を養液水がほぼ水平流動して終端の垂直管１３で流下して循環接続管１４を経て復路連結管５の垂直管１３へ至る。
さらに養液水は前記復路連結管５の垂直管１３を上昇し、復路連結管５をほほ水平流動して終端の垂直管１３で流下して循環接続管１４を経て気泡発生ポンプ室６へ至る。
前記気泡発生ポンプ室６へ給送された養液水は、循環水槽７で電熱ヒーター９により一定温度に保たれると共にエアーストーン１０からの気泡により酸素が供給される。
そして、前述したように養液水は水中ポンプ８の作用により水中ポンプ８の排出口１２から往路連結管４へ給送され、順次循環される。このようにして、本発明の水気耕栽培装置の養液水は循環流路を回流される。
【図面の簡単な説明】
【００１３】
【図１】本発明の水気耕栽培装置の正面図である。
【図２】本発明の水気耕栽培装置の平面図である。
【図３】本発明の水気耕栽培装置の右側面図である。
【図４】本発明の水気耕栽培装置の左側面図である。
【図５】気泡発生ポンプ室の拡大縦断面図である。
【符号の説明】
【００１４】
１  挿入筒
２  左右筒
３  逆Ｔ字管
４  往路連結管
５  復路連結管
６  気泡発生ポンプ室
７  循環水槽
８  水中ポンプ
９  電熱ヒーター
１０  エアーストーン
１１  仕切り板
１２  排出口
１３  垂直管
１４  循環接続管
１５  排水管
１６  蓋
１７  気泡発生ポンプ
【図１】
2010154822.tif 000003
【図２】
2010154822.tif 000004
【図３】
2010154822.tif 000005
【図４】
2010154822.tif 000006
【図５】
2010154822.tif 000007